(57)【特許請求の範囲】
【請求項１】
上部に給湯路が接続されかつ下部に給水路が接続され、温度成層を形成する状態で貯湯される貯湯タンクと、
その貯湯タンクの底部から取り出した湯水を加熱手段にて加熱したのち、その湯水を前記貯湯タンクの上部に供給する形態で湯水を循環させる湯水循環手段と、
給湯運転を制御する給湯制御手段とが設けられ、
前記給湯制御手段が、前記貯湯タンクから取り出した湯水を前記給湯路に供給する通常給湯状態と、前記加熱手段にて加熱された湯水を前記給湯路に供給する補助給湯状態とに切換可能に構成され、かつ、
前記貯湯タンク内の貯湯量が最低確保量より多い場合には、前記通常給湯状態に切り換え、かつ、前記貯湯タンク内の貯湯量が最低確保量より少ない場合には、前記補助給湯状態に切り換えるように構成されている貯湯式の給湯装置であって、
前記通常給湯状態における通常給湯能力の方が、前記補助給湯状態における補助給湯能力よりも大きくなるように設定され、
前記給湯制御手段が、前記通常給湯状態から前記補助給湯状態に切り換えるときには、前記通常給湯状態において、給湯能力を前記通常給湯能力から前記補助給湯能力に向けて連続的に減少させたのち、前記補助給湯状態に切り換える給湯能力調整処理を実行するように構成されている貯湯式の給湯装置。
【請求項２】
上部に給湯路が接続されかつ下部に給水路が接続され、温度成層を形成する状態で貯湯される貯湯タンクと、
その貯湯タンクの底部から取り出した湯水を加熱手段にて加熱したのち、その湯水を前記貯湯タンクの上部に供給する形態で湯水を循環させる湯水循環手段と、
給湯運転を制御する給湯制御手段とが設けられ、
前記給湯制御手段が、前記貯湯タンクから取り出した湯水を前記給湯路に供給する通常給湯状態と、前記加熱手段にて加熱された湯水を前記給湯路に供給する補助給湯状態とに切換可能に構成され、かつ、
前記貯湯タンク内の貯湯量が最低確保量より多い場合には、前記通常給湯状態に切り換え、かつ、前記貯湯タンク内の貯湯量が最低確保量より少ない場合には、前記補助給湯状態に切り換えるように構成されている貯湯式の給湯装置であって、
前記通常給湯状態における通常給湯能力の方が、前記補助給湯状態における補助給湯能力よりも大きくなるように設定され、
前記給湯制御手段が、前記補助給湯状態から前記通常給湯状態に切り換えるときには、前記通常給湯状態に切り換え、その通常給湯状態において、給湯能力を前記補助給湯能力から前記通常給湯能力に向けて連続的に増加させる給湯能力調整処理を実行するように構成されている貯湯式の給湯装置。
【請求項３】
前記給湯路が、給湯能力調整用給湯路と給湯能力非調整用給湯路とに分岐され、
前記給湯制御手段が、前記給湯能力調整用給湯路に給湯するときには、前記給湯能力調整処理を実行し、前記給湯能力非調整用給湯路に給湯するときには、前記通常給湯状態における給湯能力を調整することなく、前記通常給湯状態から前記補助給湯状態にまたは前記補助給湯状態から前記通常給湯状態に切り換える給湯能力非調整処理を実行するように構成されている請求項１または２に記載の貯湯式の給湯装置。
【請求項４】
前記貯湯タンク内の貯湯量が最低確保量よりも多量の最低検出貯湯量であることを検出する最低検出貯湯量検出手段が設けられ、
前記給湯制御手段が、前記最低検出貯湯量検出手段による検出情報、および、その最低検出貯湯量検出タイミングから前記貯湯タンクから取り出されて給湯される貯湯タンク給湯量に基づいて、前記貯湯タンク内の貯湯量を管理するように構成されている請求項１〜３のいずれか１項に記載の貯湯式の給湯装置。
【発明の詳細な説明】
【０００１】
【発明の属する技術分野】
本発明は、上部に給湯路が接続されかつ下部に給水路が接続され、温度成層を形成する状態で貯湯される貯湯タンクと、その貯湯タンクの底部から取り出した湯水を加熱手段にて加熱したのち、その湯水を前記貯湯タンクの上部に供給する形態で湯水を循環させる湯水循環手段と、給湯運転を制御する給湯制御手段とが設けられ、
前記給湯制御手段が、前記貯湯タンクから取り出した湯水を前記給湯路に供給する通常給湯状態と、前記加熱手段にて加熱された湯水を前記給湯路に供給する補助給湯状態とに切換可能に構成され、かつ、
前記貯湯タンク内の貯湯量が最低確保量より多い場合には、前記通常給湯状態に切り換え、かつ、前記貯湯タンク内の貯湯量が最低確保量より少ない場合には、前記補助給湯状態に切り換えるように構成されている貯湯式の給湯装置に関する。
【０００２】
【従来の技術】
上記のような貯湯式の給湯装置は、湯水循環手段を作動させることにより、温度成層を形成する状態で貯湯タンク内に湯水を貯湯し、給湯制御手段が、貯湯タンク内の貯湯量が最低確保量よりも多い場合には、通常給湯状態に切り換えて、貯湯タンク内に貯湯された湯水を給湯し、貯湯タンク内の貯湯量が最低確保量よりも少ない場合には、補助給湯状態に切り換え、加熱手段にて加熱された湯水を給湯するようにしているものである（例えば、特公平２−５６５７５号公報）。
【０００３】
この種の貯湯式の給湯装置は、給湯するときには、主に、通常給湯状態に切り換えて、貯湯タンクに貯湯されている湯水を給湯して、大きな給湯能力での給湯を可能としながら、貯湯タンク内の貯湯量が最低確保量よりも少なくなると、補助給湯状態に切り換えて、加熱手段にて加熱された湯水を給湯して、湯切れを防止するようにしているものである。
そして、従来の貯湯式の給湯装置では、通常給湯状態においては、貯湯タンクの機能を活用することによって、大きな給湯能力での給湯が可能であり、補助給湯状態においては、そのときの給湯能力が加熱手段の加熱能力に制限を受けることなどの理由から、通常給湯状態における通常給湯能力の方が、補助給湯状態における補助給湯能力よりも大きくなっている。
【０００４】
【発明が解決しようとする課題】
しかしながら、上記従来の貯湯式の給湯装置では、通常給湯状態における通常給湯能力の方が、補助給湯状態における補助給湯能力よりも大きくなるので、通常給湯状態にて給湯されている状態で、貯湯タンク内の貯湯量が最低確保量よりも少なくなるに伴って、通常給湯状態から補助給湯状態に切り換えると、給湯能力が通常給湯能力から補助給湯能力に急激に変化することになって、給湯量が急激に減少したり、または、給湯温度が急激に低下するなどの現象が生じて、使用者に不快感を与える虞があった。
【０００５】
また、補助給湯状態において、加熱手段にて加熱された湯水をそのまま給湯路に供給すると、給湯能力が補助給湯能力よりも大きくなる場合などでは、加熱手段にて加熱された湯水の一部を給湯路に供給し、残りの一部を貯湯タンクの上部に供給することによって、貯湯タンク内の貯湯量が増加することになる。
したがって、上記従来の貯湯式の給湯装置では、補助給湯状態において、貯湯タンク内の貯湯量が増加し、その貯湯量が最低確保量よりも多くなると、補助給湯状態から通常給湯状態に切り換えることになるので、給湯能力が補助給湯能力から通常給湯能力に急激に変化することになって、給湯量が急激に増加したり、または、給湯温度が急激に上がるなどの現象が生じて、使用者に不快感を与える虞がある。
【０００６】
本発明は、かかる点に着目してなされたものであり、その目的は、給湯能力の急激な変化を防止して、使用者に不快感を与えることを防止することが可能となる貯湯式の給湯装置を提供する点にある。
【０００７】
【課題を解決するための手段】
この目的を達成するために、請求項１に記載の発明によれば、上部に給湯路が接続されかつ下部に給水路が接続され、温度成層を形成する状態で貯湯される貯湯タンクと、その貯湯タンクの底部から取り出した湯水を加熱手段にて加熱したのち、その湯水を前記貯湯タンクの上部に供給する形態で湯水を循環させる湯水循環手段と、給湯運転を制御する給湯制御手段とが設けられ、
前記給湯制御手段が、前記貯湯タンクから取り出した湯水を前記給湯路に供給する通常給湯状態と、前記加熱手段にて加熱された湯水を前記給湯路に供給する補助給湯状態とに切換可能に構成され、かつ、
前記貯湯タンク内の貯湯量が最低確保量より多い場合には、前記通常給湯状態に切り換え、かつ、前記貯湯タンク内の貯湯量が最低確保量より少ない場合には、前記補助給湯状態に切り換えるように構成されている貯湯式の給湯装置において、
前記通常給湯状態における通常給湯能力の方が、前記補助給湯状態における補助給湯能力よりも大きくなるように設定され、
前記給湯制御手段が、前記通常給湯状態から前記補助給湯状態に切り換えるときには、前記通常給湯状態において、給湯能力を前記通常給湯能力から前記補助給湯能力に向けて連続的に減少させたのち、前記補助給湯状態に切り換える給湯能力調整処理を実行するように構成されている。
【０００８】
すなわち、通常給湯状態における通常給湯能力の方が、補助給湯状態における補助給湯能力よりも大きくなるように設定され、給湯制御手段が、給湯能力調整処理を実行して、通常給湯状態において、給湯能力を通常給湯能力からその通常給湯能力よりも小さい補助給湯能力に向けて連続的に減少させたのち、通常給湯状態から補助給湯状態に切り換えることが可能となるので、給湯能力を通常給湯能力から補助給湯能力に向けて徐々に変化させたのち、通常給湯状態から補助給湯状態に切り換えることが可能となって、給湯能力が通常給湯能力から補助給湯能力に急激に変化することを防止することが可能となる。
したがって、給湯能力の急激な変化を防止して、使用者に不快感を与えることを防止することが可能となる貯湯式の給湯装置を提供できるに到った。
【０００９】
請求項２に記載の発明によれば、上部に給湯路が接続されかつ下部に給水路が接続され、温度成層を形成する状態で貯湯される貯湯タンクと、その貯湯タンクの底部から取り出した湯水を加熱手段にて加熱したのち、その湯水を前記貯湯タンクの上部に供給する形態で湯水を循環させる湯水循環手段と、給湯運転を制御する給湯制御手段とが設けられ、
前記給湯制御手段が、前記貯湯タンクから取り出した湯水を前記給湯路に供給する通常給湯状態と、前記加熱手段にて加熱された湯水を前記給湯路に供給する補助給湯状態とに切換可能に構成され、かつ、
前記貯湯タンク内の貯湯量が最低確保量より多い場合には、前記通常給湯状態に切り換え、かつ、前記貯湯タンク内の貯湯量が最低確保量より少ない場合には、前記補助給湯状態に切り換えるように構成されている貯湯式の給湯装置において、
前記通常給湯状態における通常給湯能力の方が、前記補助給湯状態における補助給湯能力よりも大きくなるように設定され、
前記給湯制御手段が、前記補助給湯状態から前記通常給湯状態に切り換えるときには、前記通常給湯状態に切り換え、その通常給湯状態において、給湯能力を前記補助給湯能力から前記通常給湯能力に向けて連続的に増加させる給湯能力調整処理を実行するように構成されている。
【００１０】
すなわち、給湯制御手段が、給湯能力調整処理を実行して、補助給湯状態から通常給湯状態に切り換え、その通常給湯状態において、給湯能力を補助給湯能力からその補助給湯能力よりも大きい通常給湯能力に向けて連続的に増加させることが可能となるので、補助給湯状態から通常給湯状態に切り換えた状態で、給湯能力を補助給湯能力から通常給湯能力に向けて徐々に変化させることが可能となって、給湯能力が補助給湯能力から通常給湯能力に急激に変化することを防止することが可能となる。
したがって、給湯能力の急激な変化を防止して、使用者に不快感を与えることを防止することが可能となる貯湯式の給湯装置を提供できるに到った。
【００１１】
請求項３に記載の発明によれば、前記給湯路が、給湯能力調整用給湯路と給湯能力非調整用給湯路とに分岐され、前記給湯制御手段が、前記給湯能力調整用給湯路に給湯するときには、前記給湯能力調整処理を実行し、前記給湯能力非調整用給湯路に給湯するときには、前記通常給湯状態における給湯能力を調整することなく、前記通常給湯状態から前記補助給湯状態にまたは前記補助給湯状態から前記通常給湯状態に切り換える給湯能力非調整処理を実行するように構成されている。
【００１２】
すなわち、給湯制御手段が、給湯能力調整処理を実行すると、給湯能力の急激な変化を防止することが可能となるが、通常給湯状態において、給湯能力を通常給湯能力よりも小さい状態に制限することがあり、また、給湯制御手段が、給湯能力非調整処理を実行すると、通常給湯状態において、常に給湯能力を通常給湯能力にすることが可能となるが、給湯能力の急激な変化を生じる虞がある。
そして、給湯栓などに給湯するときには、給湯能力が通常給湯能力よりも小さい状態に制限されても、給湯能力の急激な変化を防止することに対して要求があり、浴槽などに給湯するときには、給湯能力の急激な変化が生じても、給湯能力を通常給湯能力よりも小さい状態に制限することなく、給湯能力を最大の能力にて給湯することに対して要求がある。
【００１３】
請求項３に記載の構成によれば、給湯制御手段が、給湯能力調整用給湯路にて給湯栓などに給湯するときには、給湯能力調整処理を実行し、給湯能力非調整用給湯路にて浴槽などに給湯するときには、給湯能力非調整処理を実行することが可能となるので、給湯栓などに給湯するときの要求、および、浴槽などに給湯するときの要求の夫々を満たすことが可能となり、使い勝手のよいものとなる。
【００１４】
請求項４に記載の発明によれば、前記貯湯タンク内の貯湯量が最低確保量よりも多量の最低検出貯湯量であることを検出する最低検出貯湯量検出手段が設けられ、前記給湯制御手段が、前記最低検出貯湯量検出手段による検出情報、および、その最低検出貯湯量検出タイミングから前記貯湯タンクから取り出されて給湯される貯湯タンク給湯量に基づいて、前記貯湯タンク内の貯湯量を管理するように構成されている。
【００１５】
すなわち、給湯制御手段が、最低検出貯湯量検出手段による検出情報、および、その最低検出貯湯量検出タイミングから前記貯湯タンクから取り出されて給湯される貯湯タンク給湯量に基づいて、貯湯タンク内の貯湯量が最低確保量よりも少ない場合を判別し、最低検出貯湯量検出手段による検出情報に基づいて、貯湯タンク内の貯湯量が最低確保量よりも多い場合を判別することが可能となる。
したがって、貯湯タンク内の貯湯量が最低検出貯湯量であるというひとつの状態を検出し、その最低検出貯湯量検出タイミングから貯湯タンクから取り出されて給湯される貯湯タンク給湯量を検出するだけで、貯湯タンク内の貯湯量が最低確保量よりも少ない場合および多い場合を判別することが可能となって、容易な構成にて、貯湯タンク内の貯湯量を管理することが可能となる。
【００１６】
【発明の実施の形態】
本発明にかかる貯湯式の給湯装置について図面に基づいて説明する。
〔第１実施形態〕
この貯湯式の給湯装置は、図１に示すように、温度成層を形成する状態で貯湯される貯湯タンク１、貯湯タンク１内の湯水を循環するための循環路２、循環路２を通流する湯水を加熱する加熱手段としての加熱部３、給湯運転を制御する給湯制御手段としての給湯制御部Ｈなどから構成され、循環ポンプ１８を作動させて貯湯タンク１内の湯水を循環路２にて循環しながら、加熱部３にて加熱するようにしている。
【００１７】
前記貯湯タンク１内には、その貯湯量が最低確保量よりも多量の最低検出貯湯量以上であるかを、その湯温を検出することにより検出する最低検出貯湯量検出手段としての最上部サーミスタＳ１、その貯湯量が満以上であるかを、その湯温を検出することにより検出する底部サーミスタＳ２が設けられている。
前記貯湯タンク１には、その底部から貯湯タンク１に水道水圧を用いて給水する給水路４が接続され、その上部から給湯するための給湯路５が接続され、使用された量だけの水を給水路４から貯湯タンク１に給水するように構成されている。
【００１８】
前記給湯路５には、給水路４から分岐された混合用給水路６が接続され、その接続箇所に給湯路５からの湯水と混合用給水路６からの水との混合比を調整自在なミキシングバルブ７が設けられている。
前記給水路４と混合用給水路７との分岐箇所には、給水温度を検出する給水サーミスタ８が設けられている。
【００１９】
また、給湯路５におけるミキシングバルブ７よりも上流側には、貯湯タンク１の上部から給湯路５に給湯された湯水の温度を検出する貯湯出口サーミスタ９が設けられ、給湯路５におけるミキシングバルブ７よりも下流側には、ミキシングバルブ８にて混合された湯水の温度を検出するミキシングサーミスタ１０、給湯路５の湯水の流量を調整する給湯流量調整弁１１が設けられている。
そして、給湯路５における給湯流量調整弁１１よりも下流側が、給湯能力調整用給湯路５ａと給湯能力非調整用給湯路５ｂとに分岐されている。
前記給湯能力調整用給湯路５ａには、給湯能力調整用給湯路５ａの湯水の流量を検出する調整用給湯流量センサ１２が設けられ、前記給湯能力非調整用給湯路５ｂには、上流側から、その給湯能力非調整用給湯路５ｂの湯水の流量を調整する非調整用流量調整弁１３、給湯能力非調整用給湯路５ｂの湯水の流量を検出する非調整用給湯流量センサ１４が設けられている。
【００２０】
前記給湯能力調整用給湯路５ａは、台所や洗面所などの給湯栓Ａに給湯するように構成され、前記給湯能力非調整用給湯路５ｂは、浴槽Ｂに給湯するように構成されている。
そして、給湯栓Ａに給湯するときには、給湯設定温度、貯湯出口サーミスタ９および給水サーミスタ８の検出情報などに基づいて、給湯する湯水の温度が給湯設定温度になるようにミキシングバルブ７の開度を調整して、給湯設定温度の湯水を給湯するとともに、給湯流量調整弁１１の開度を調整して、給湯栓Ａへの給湯量を調整するように構成されている。
また、浴槽Ｂに湯張りするときにも、ミキシングバルブ７の開度を調整するなどして、湯張り設定温度の湯水を浴槽に供給し、湯張り設定量の湯水を供給すると湯張りを終了するように構成されている。
給湯操作手段Ｇが、貯湯出口サーミスタ９、給水サーミスタ８、ミキシングバルブ７、および、ミキシングサーミスタ１０などにより構成されている。
【００２１】
前記循環路２と貯湯タンク１とが、循環路２を通流する湯水を貯湯タンク１内に戻す、または、貯湯タンク１内の湯水を循環路２に取り出すために、貯湯タンク１の上部と底部の合計３箇所で連通接続されている。
具体的に説明すると、貯湯タンク１の上部には、循環路２の湯水を貯湯タンク１内に供給するための貯湯路１５が給湯路５の一部を共用する状態で連通接続され、その貯湯路１５には、貯湯開閉弁１６が設けられている。
また、貯湯タンク１の底部には、循環路２の両端部が各別に接続され、貯湯タンク１内の湯水は、循環路２の一端部から取り出されて、他端部に向けて流動するように構成されている。
【００２２】
そして、循環路２には、湯水の循環方向に順に、循環路２の湯水の循環量を検出する循環流量センサ１７、循環ポンプ１８、循環路２の湯水の循環量を調整する循環流量調整バルブ１９、加熱部３、加熱部３にて加熱された湯水の温度を検出する加熱温サーミスタ２０、湯水の通流を断続する開閉弁２１が設けられている。
湯水循環手段Ｅが、循環路２、循環ポンプ１８、循環流量センサ１７、循環流量調整バルブ１９、加熱温サーミスタ２０、貯湯開閉弁１６、および、開閉弁２１などから構成されている。
【００２３】
前記加熱部３は、詳述はしないが、ヒートポンプ装置による冷媒を供給して湯水を加熱するヒートポンプ式加熱部３ａと、バーナの燃焼により湯水を加熱する補助加熱部３ｂとから構成され、循環路２の湯水の循環方向において上流側から、ヒートポンプ式加熱部３ａ、補助加熱部３ｂの順に設けられている。
そして、ヒートポンプ式加熱部３ａと補助加熱部３ｂとの間には、ヒートポンプ式加熱部３ａにて加熱された湯水の温度を検出するヒートポンプ加熱温サーミスタ２２が設けられている。
【００２４】
前記ヒートポンプ式加熱部３ａは、給湯制御部Ｈとの通信などによりヒートポンプ装置を作動させて、ヒートポンプ式加熱部３ａに冷媒を供給することによって、循環路２を通流する湯水を加熱するように構成されている。
また、補助加熱部３ｂは、循環路２を通して設定量以上の水量が供給されると、バーナの燃焼を開始し、供給される水量が設定量未満になると、バーナの燃焼を停止させ、バーナの燃焼状態において、バーナの燃焼量を調整することによって、加熱した湯水の温度を調整可能に構成されている。
【００２５】
前記給湯制御部Ｈは、図２に示すように、貯湯リモコンＲ２の指令に基づいて、湯水循環手段Ｅ、給湯操作手段Ｇ、および、加熱部３の作動を制御することによって、貯湯タンク１内に湯水を貯湯する貯湯運転、給湯栓Ａや浴槽Ｂに所望の湯水を供給する給湯運転などの夫々の運転を実行するように構成されている。
【００２６】
以下、各運転について説明を加える。
前記貯湯運転は、貯湯リモコンＲ２から貯湯要求があると、貯湯開閉弁１６を開弁させ、循環ポンプ１８を作動させて、貯湯タンク１の底部から水を循環路２に取出し、加熱部３にて加熱したのち、貯湯路１５を通して貯湯タンク１の上部に供給してするように構成されている。
【００２７】
前記貯湯運転における加熱部３の動作について説明を加えると、ヒートポンプ装置が運転中でないなど、ヒートポンプ式加熱部３ａでの加熱が可能な場合には、ヒートポンプ装置を作動させて、ヒートポンプ式加熱部３ａに冷媒を供給させ、ヒートポンプ式加熱部３ａにて循環路２の湯水を加熱させ、ヒートポンプ加熱温サーミスタ２２による検出温度が目標貯湯温度（例えば、６０℃）になるようにヒートポンプ式加熱部３ａの加熱量を調整するように構成されている。
そして、ヒートポンプ式加熱部３ａによる加熱だけでは、ヒートポンプ加熱温サーミスタ２２による検出温度が目標貯湯温度（例えば、６０℃）になるように循環路２の湯水を加熱できない場合や、ヒートポンプ式加熱部３ａでの加熱が行えない場合などには、加熱温サーミスタ２０による検出温度が目標貯湯温度（例えば、６０℃）になるように、補助加熱部３ｂによる加熱量を調整するように構成されている。
【００２８】
このようにして、加熱部３にて循環路２の湯水を貯湯設定温度に加熱して、その湯水を貯湯タンク１の上部から供給することによって、温度成層を形成する状態で、貯湯タンク１内に貯湯するように構成されている。
【００２９】
前記給湯運転は、給湯栓Ａが開操作されたり、浴槽Ｂに湯張りするための湯張り指令が指令されると、開始され、貯湯タンク１内の貯湯量が最低確保量よりも多い場合には、通常給湯状態に切り換えて、貯湯タンク１から取り出した湯水を給湯路５に供給して給湯し、貯湯タンク１内の貯湯量が最低確保量よりも少ない場合には、補助給湯状態に切り換えて、加熱部３にて加熱された湯水を給湯路５に供給して給湯するように構成されている。
そして、給湯流量調整弁１１の開度を調整することによって、通常給湯状態における通常給湯能力の方が、補助給湯状態における補助給湯能力よりも大きくなるように設定されている。
【００３０】
説明を加えると、通常給湯状態においては、貯湯タンク１内に貯湯されている湯を給湯路５に取り出して、貯湯リモコンＲ２などにて設定された給湯設定温度、貯湯出口サーミスタ９および給水サーミスタ８の検出情報に基づいて、給湯する湯水の温度が給湯設定温度になるようにミキシングバルブ７の開度を調整するとともに、ミキシングサーミスタ１０の検出情報に基づいて、その検出温度と給湯設定温度との偏差に基づいてミキシングバルブ７の開度を微調整することにより、給湯設定温度の湯水を給湯して、通常給湯能力にて給湯するように構成されている。
【００３１】
また、補助給湯状態においては、加熱部３にて加熱された湯水を貯湯路１５から給湯路５に供給して、貯湯リモコンＲ２などにて設定された給湯設定温度、貯湯出口サーミスタ９および給水サーミスタ８の検出情報に基づいて、給湯する湯水の温度が給湯設定温度になるようにミキシングバルブ７の開度を調整するとともに、ミキシングサーミスタ１０の検出情報に基づいて、その検出温度と給湯設定温度との偏差に基づいてミキシングバルブ７の開度を微調整することにより、給湯設定温度の湯水を給湯するとともに、給湯流量調整弁１１の開度を絞り、通常給湯能力よりも小さい補助給湯能力にて給湯するように構成されている。
【００３２】
ちなみに、この補助給湯状態では、循環路２を通流する湯水を補助加熱部３ｂにて加熱し、加熱温サーミスタ２０による検出温度が目標貯湯温度（例えば、６０℃）になるように、補助加熱部３ｂの加熱量を調整するようにしている。
【００３３】
また、補助給湯状態では、加熱部３にて加熱されて貯湯路１５を通流する湯水の流量の方が、要求されている給湯量よりも大きいときには、貯湯路１５の通流する湯水の一部を給湯路５に供給し、残りの一部を貯湯タンク１の上部に供給して、貯湯タンク１内に貯湯するようにしている。
【００３４】
前記給湯制御部Ｈは、上述の給湯運転において、給湯能力調整用給湯路５ａに給湯しているときに、通常給湯状態から補助給湯状態に切り換えるときには、通常給湯状態において、給湯能力を通常給湯能力から補助給湯能力に向けて連続的に減少させたのち、補助給湯状態に切り換える減少側の給湯能力調整処理を実行し、補助給湯状態から通常給湯状態に切り換えるときには、通常給湯状態に切り換え、その通常給湯状態において、給湯能力を補助給湯能力から通常給湯能力に向けて連続的に増加させる増加側の給湯能力調整処理を実行するように構成されている。
また、給湯制御部Ｈは、給湯能力非調整用給湯路５ｂに給湯する場合には、通常給湯状態における給湯能力を調整することなく、通常給湯状態から補助給湯状態にまたは補助給湯状態から通常給湯状態に切り換える給湯能力非調整処理を実行するように構成されている。
【００３５】
前記減少側の給湯能力調整処理は、通常給湯状態にて給湯しているときに、図３の（イ）に示すように、貯湯タンク１内の貯湯量が最低確保量よりも多量の最低検出貯湯量（図中Ｔ１）になると、給湯温度は給湯設定温度を維持した状態で、給湯能力が時間経過に伴って減少するように給湯流量調整弁１１の開度を調整して給湯量を調整することによって、給湯能力を通常給湯能力Ｎ１から補助給湯能力Ｎ２に向けて連続的に減少させ、貯湯タンク１内の貯湯量が最低確保量（図中Ｔ２）になると、補助給湯状態に切り換えるようにしている。
【００３６】
前記増加側の給湯能力調整処理は、補助給湯状態にて給湯しているときに、図３の（ロ）に示すように、貯湯タンク１内の貯湯量が最低検出貯湯量になってから設定時間経過（図中Ｔ３）すると、通常給湯状態に切り換え、給湯温度は給湯設定温度を維持した状態で、給湯能力が時間経過に伴って増加するように給湯流量調整弁１１の開度を調整して給湯量を調整することによって、給湯能力を補助給湯能力Ｎ２から通常給湯能力Ｎ１に向けて連続的に増加させ、最終的に給湯能力が通常給湯能力Ｎ１（図中Ｔ４）になるようにしている。
【００３７】
前記給湯能力非調整処理は、通常給湯状態にて給湯しているときに、図３の（イ）の点線で示すように、貯湯タンク１内の貯湯量が最低確保量（図中Ｔ２）になると、補助給湯状態に切り換え、通常給湯能力Ｎ１から補助給湯能力Ｎ２に変更させ、補助給湯状態にて給湯しているときに、図３の（ロ）の点線で示すように、貯湯タンク１内の貯湯量が最低検出貯湯量になってから設定時間経過（図中Ｔ３）すると、通常給湯状態に切り換え、補助給湯能力Ｎ２から通常給湯能力Ｎ１に変更させるようにしている。
【００３８】
このようにして、給湯能力調整用給湯路５ａにて給湯栓Ａに給湯するときには、給湯能力調整処理を実行して、給湯能力を通常給湯能力から補助給湯能力にまたは補助給湯能力から通常給湯能力に徐々に変化させて、給湯能力の急激な変化を防止しながら給湯し、給湯能力非調整用給湯路５ｂにて浴槽Ｂに給湯するときには、給湯能力非調整処理を実行して、通常給湯状態において、常に給湯能力を通常給湯能力として、給湯能力を最大の能力にしながら給湯するように構成されている。
【００３９】
前記給湯制御部Ｈは、調整用給湯流量センサ１２および非調整用給湯流量センサ１４による検出情報に基づいて、給湯能力調整用給湯路５ａに給湯しているのか、または、給湯能力非調整用給湯路５ｂに給湯しているのかを判別するようにしている。
そして、給湯制御部Ｈは、給湯能力調整用給湯路５ａと給湯能力非調整用給湯路５ｂとの両方に給湯しているときには、上述の減少側の給湯能力調整処理および増加側の給湯能力調整処理を実行するように構成されている。
【００４０】
前記給湯制御部Ｈは、貯湯タンク１内の貯湯量を管理しており、その貯湯タンク１内の貯湯量の管理について説明する。
最低検出貯湯量は最上部サーミスタＳ１にて検出し、その最低検出貯湯量よりも少量の最低確保量については、給水サーミスタ８、貯湯出口サーミスタ９、ミキシングサーミスタ１０、調整用給湯流量センサ１２、および、非調整用給湯流量センサ１４の検出情報から、最低検出貯湯量検出タイミングから貯湯タンク１から取り出されて給湯される貯湯タンク給湯量を求めて、その貯湯タンク給湯量と最上部サーミスタＳ１にて検出される最低検出貯湯量とから求めるようにしている。
このようにして、最上部サーミスタＳ１の検出情報と貯湯タンク給湯量から、貯湯タンク１内の貯湯量を管理するようにしている。
【００４１】
ちなみに、給水サーミスタ８の検出温度、貯湯出口サーミスタ９の検出温度、および、ミキシングサーミスタ１０の検出温度から貯湯タンク１からの湯と混合用給水路６からの水の混合比が求められ、その混合比と調整用給湯流量センサ１２の検出流量から貯湯タンク１の湯の給湯量が求められることになるので、最低検出貯湯量検出タイミングから貯湯タンク１の湯の給湯量を求めることにより、貯湯タンク給湯量が求められることになる。
【００４２】
前記給湯運転の動作について、図４のフローチャートに基づいて説明する。
まず、貯湯タンク１内の貯湯量Ｑ１が最低検出貯湯量Ｑ２未満であると、補助給湯状態に切り換え、貯湯タンク１内の貯湯量Ｑ１が最低検出貯湯量Ｑ２になってから設定時間が経過する切り換えタイミングになるまで、補助給湯状態を維持する（ステップ１〜３）。
そして、切り換えタイミングになると、補助給湯状態から通常給湯状態に切り換え（ステップ４）、給湯能力調整用給湯路５ａに給湯していると、給湯能力を補助給湯能力から通常給湯能力に向けて連続的に増加させ、最終的に給湯能力が通常給湯能力になるようにする増加側の給湯能力調整処理を実行する（ステップ５，６）。
【００４３】
貯湯タンク１内の貯湯量Ｑ１が最低検出貯湯量Ｑ２以上であると、通常給湯状態に切り換え、給湯能力調整用給湯路５ａに給湯しているときには、貯湯タンク１内の貯湯量Ｑ１が最低検出貯湯量Ｑ２未満になるまで、通常給湯状態を維持する（ステップ１，７〜９）。
そして、貯湯タンク１内の貯湯量Ｑ１が最低検出貯湯量Ｑ２未満になると、通常給湯状態を維持して、給湯能力を通常給湯能力から補助給湯能力に向けて連続的に減少させる減少側の給湯能力調整処理を実行する（ステップ９，１０）。
その後、貯湯タンク１内の貯湯量Ｑ１が最低確保量Ｑ３未満になると、通常給湯状態から補助給湯状態に切り換える（ステップ１１，１２）。
【００４４】
また、給湯能力非調整用給湯路５ｂに給湯しているときには（ステップ８）、貯湯タンク１内の貯湯量Ｑ１が最低確保量Ｑ３未満になるまで、通常給湯状態を維持し（ステップ１３）、貯湯タンク１内の貯湯量Ｑ１が最低確保量Ｑ３未満になると、補助給湯状態に切り換える（ステップ１２）。
【００４５】
ちなみに、上述の給湯運転中に、給湯栓Ａが閉操作されたり、浴槽Ｂに設定量の湯水を供給して湯張りが終了されると、加熱部３が作動中であると、その加熱部３の作動を停止させるなどの停止処理を割込みさせて、給湯を停止させるようにしている。
【００４６】
〔第２実施形態〕
この第２実施形態は、上記第１実施形態における給湯制御部Ｈにおける給湯能力調整処理についての別実施形態を示すものであり、その別実施形態を図面に基づいて説明する。
ちなみに、給湯制御部Ｈにおける給湯能力調整処理以外の構成については、上記第１実施形態と同様であるので、同符号を記すなどによって、その詳細な説明は省略する。
【００４７】
すなわち、上記第１実施形態では、給湯制御部Ｈが、減少側の給湯能力調整処理と増加側の給湯能力調整処理の両方を実行するように構成されているが、この第２実施形態では、給湯制御部Ｈが、減少側の給湯能力調整処理のみを実行するように構成されている。
【００４８】
説明を加えると、給湯運転において、給湯能力調整用給湯路５ａに給湯しているときに、上記第１実施形態と同様に、通常給湯状態から補助給湯状態に切り換えるときには、通常給湯状態において、給湯能力を通常給湯能力から補助給湯能力に向けて連続的に減少させたのち、補助給湯状態に切り換える減少側の給湯能力調整処理を実行する。
そして、給湯能力調整用給湯路５ａに給湯しているときに、貯湯タンク１内の貯湯量が最低検出貯湯量になってから設定時間経過すると、通常給湯状態に切り換え、給湯能力を補助給湯能力から通常給湯能力に切り換えるようにしている。
【００４９】
前記給湯制御部Ｈの動作について、図５のフローチャートに基づいて説明する。
なお、図５のフローチャートは、上記第１実施形態における図４のフローチャートにおけるステップ５およびステップ６を削除したものであり、その他については、上記第１実施形態における図４のフローチャートと同様である。
【００５０】
説明を加えると、貯湯タンク１内の貯湯量Ｑ１が最低検出貯湯量Ｑ２未満であると、補助給湯状態に切り換え、貯湯タンク１内の貯湯量Ｑ１が最低検出貯湯量Ｑ２になってから設定時間が経過する切り換えタイミングになるまで、補助給湯状態を維持する（ステップ１〜３）。
そして、切り換えタイミングになると、補助給湯状態から通常給湯状態に切り換え（ステップ４）、給湯能力調整用給湯路５ａに給湯していても、給湯能力非調整用給湯路５ｂに給湯していても、そのままリターンに移行する。
【００５１】
貯湯タンク１内の貯湯量Ｑ１が最低検出貯湯量Ｑ２以上である場合については、上記第１実施形態における図４のステップ７〜１３と同様であるので、その詳細な説明は省略する。
【００５２】
〔別実施形態〕
（１）上記第２実施形態では、給湯制御部Ｈが、減少側の給湯能力調整処理および増加側の給湯能力調整処理のうち、減少側の給湯能力調整処理のみを実行するように構成しているが、給湯制御部Ｈが、増加側の給湯能力調整処理のみを実行するように構成して実施することが可能である。
【００５３】
（２）上記１および２実施形態では、給湯路５が給湯能力調整用給湯路５ａと給湯能力非調整用給湯路５ｂとに分岐されているが、給湯路５を分岐させず、給湯路５にて給湯栓Ｂに給湯するように構成して実施することも可能である。
なお、この場合には、第１実施形態では、給湯制御部Ｈが、給湯するときには、常に、減少側の給湯能力調整処理および増加側の給湯能力を実行し、第２実施形態では、給湯するときには、常に、減少側の給湯能力調整処理を実行するように構成するようにしている。
【００５４】
（３）上記第１および２実施形態では、減少側の給湯能力調整処理および増加側の給湯能力調整処理において、給湯温度を維持した状態で、給湯量を連続的に変化させることによって、給湯能力を連続的に変化させるようにしているが、減少側の給湯能力調整処理および増加側の給湯能力調整処理において、給湯量を維持した状態で、ミキシングバルブ７による混合比を調整して給湯温度を連続的に変化させて、給湯能力を連続的に変化させて実施することも可能である。
【００５５】
また、給湯温度と給湯量のうち、どちらを優先させるかを選択可能な選択スイッチを設けるなどして、その選択スイッチにて給湯量が選択されると、減少側の給湯能力調整処理および増加側の給湯能力調整処理において、給湯温度を維持した状態で、給湯量を連続的に変化させることによって、給湯能力を連続的に変化させ、逆に、選択スイッチにて給湯温度が選択されると、給湯量を維持した状態で、給湯温度を連続的に変化させて、給湯能力を連続的に変化させて実施することも可能である。
すなわち、減少側の給湯能力調整処理および増加側の給湯能力調整処理において、給湯量と給湯温度のうち、どちらを維持して、どちらを変化させるかは、適宜変更が可能である。
【００５６】
（４）上記第１および２実施形態では、貯湯タンク１内の貯湯量が最低検出貯湯量になってから設定時間経過して切り換えタイミングになると、補助給湯状態から通常給湯状態に切り換えるようにしているが、例えば、貯湯タンク１内の貯湯量が最低検出貯湯量になると、補助給湯状態から通常給湯状態に切り換えるなど、切り換えタイミングの条件は、適宜変更が可能である。
【００５７】
（５）上記第１および２実施形態では、減少側の給湯能力調整処理および増加側の給湯能力調整処理において、給湯量を時間経過に伴って変化させることによって、給湯能力を連続的に変化させるようにしているが、単位時間あたりの給湯能力の変化量などは適宜変更が可能であり、給湯能力を連続的に変化させるものであればよい。
【００５８】
（６）上記第１および２実施形態では、最上部サーミスタＳ１と貯湯タンク給湯量に基づいて、貯湯タンク１内の貯湯量を管理するようにしているが、貯湯タンク１内の貯湯量がある設定量であることを、湯温を検出することにより検出するサーミスタを、貯湯タンク１内に複数設けて、それら複数のサーミスタの検出情報に基づいて、貯湯タンク１内の貯湯量を管理するようにしてもよい。
【００５９】
（７）上記第１および２実施形態では、加熱部３として、ヒートポンプ式加熱部３ａと補助加熱部３ｂを備える構成を示したが、補助加熱部３ｂのみを備えるものや、ヒートポンプ式加熱部３ａと補助加熱部３ｂに加えて、外部熱源機の排熱を利用して加熱する排熱利用式加熱部を備えるなど、各種の加熱手段が適応可能である。
【００６０】
（８）上記第１および２実施形態では、本発明にかかる貯湯式の給湯装置をヒートポンプ装置を利用した貯湯式の給湯装置を例示したが、ヒートポンプ装置を備えていないものなど、各種の貯湯式の給湯装置が適応可能である。
【図面の簡単な説明】
【図１】貯湯式の給湯装置の概略構成図
【図２】貯湯式の給湯装置の制御ブロック図
【図３】給湯能力調整処理の説明図
【図４】第１実施形態における制御動作を示すフローチャート
【図５】第２実施形態における制御動作を示すフローチャート
【符号の説明】
１              貯湯タンク
３              加熱手段
４              給水路
５              給湯路
Ｅ              湯水循環手段
Ｈ              給湯制御手段
Ｓ１            最低検出貯湯量検出手段
【図１】
0004274711.tif 000002
【図２】
0004274711.tif 000003
【図３】
0004274711.tif 000004
【図４】
0004274711.tif 000005
【図５】
0004274711.tif 000006